(57)【要約】【課題】バッテリー切れのおそれのないバッテリー残量表示を行うことである。【解決手段】無線送信機能を備えたレストラン等における携帯型無線通信端末１において、内蔵するバッテリー１５の残量を無線送信可能な回数に置換して数字による表示で通知するようにしたレストラン等における携帯型無線通信端末のバッテリー残量表示方法。【選択図】図３
2007147434.tif 000002
【特許請求の範囲】
【請求項１】
無線送信機能を備えたレストラン等における携帯型無線通信端末において、内蔵するバッテリーの残量を無線送信可能な回数に置換して数字による表示で通知するようにしたことを特徴とするレストラン等における携帯型無線通信端末のバッテリー残量表示方法。
【請求項２】
バッテリーの残量が数字に置換される基礎は、バッテリーの電圧であることを特徴とする請求項１記載のレストラン等における携帯型無線通信端末のバッテリー残量表示方法。
【請求項３】
フル充電の状態のバッテリーによる送信可能な無線送信回数から現時点の送信済みの回数を減算して将来の無線送信可能な回数を数字により表示するようにしたことを特徴とする請求項１記載のレストラン等における携帯型無線通信端末のバッテリー残量表示方法。
【発明の詳細な説明】
【技術分野】
【０００１】
本発明は、レストラン等において、客席で客の注文を受けてその注文内容と数量とを入力して無線送信により厨房に注文内容を伝達するために利用されるハンディターミナルに係るものであり、特に、レストラン等における携帯型無線通信端末のバッテリー残量表示方法に関するものである。
【背景技術】
【０００２】
従来、レストラン等において、客のオーダーを逸早く厨房に伝達するために、図１に示すように、無線送信機能を備えた携帯型無線通信端末（以下、ハンディターミナルと称する）１が利用されている。このハンディターミナル１は、携帯可能であるため、駆動電源としてはバッテリーが用いられている。すなわち、その形状としては、本体ケース２とこの本体ケース２にヒンジ結合されて開閉自在に設けられた蓋体３とに、ファンクションキーや料理メニューキーなどによる多数の操作キー４が配設されており、また、前記本体ケース２の情報には、表示部５が設けられている。このようなハンディターミナル１において、バッテリーにより供給される電力の消費量は、待機時や表示部５における情報の表示状態においては、僅かなものであるが、オーダー内容を無線送信する際には、大きな電力を必要とする。そのため、バッテリーとして充電バッテリーを使用する場合においても、フル充電の状態から空になる状態までの間の無線送信可能な回数は、例えば、５００回というように限られている。そのため、客の注文を受けている使用時にバッテリー切れとならないように、図２に示すように、表示部５にバッテリー残量表示マーク６が表示される。このバッテリー残量表示マーク６は、バッテリー形状をしており、例えば、４段階にバッテリー残量が表示されるように配慮されている。そのため、バッテリー残量が最も少なくなった表示がなされたときに、その状態においては、バッテリーが空になるまでにはかなりの余裕があるため、適当な使用回数を経過した後に充電作業を開始する。
【０００３】
また、特許文献１には、バッテリー残量が減少するにしたがってバッテリーの放電電圧が低下する点に着目し、その電圧値が予め設定された終止電圧にまで減少したときにバッテリーの残量が限界値になったと判定し、警告表示をすることが記載され、この場合において、バッテリーの劣化によりバッテリー残量が異なることに着目してバッテリーの劣化量をも考慮してバッテリーの終止電圧を算出する技術が開示されている。
【０００４】
【特許文献１】特開２００４−１４４６２８号公報
【発明の開示】
【発明が解決しようとする課題】
【０００５】
図２に示すバッテリー残量表示マーク６によるバッテリー表示は、残量の表示を行っているものの、その表示内容が、例えば、４段階表示であり、バッテリー残量が最小の表示においても更に使用可能な残量はかなり残されており、充電時期の判断は、使用者によりまちまちであり、大まかなバッテリー残量表示に止まっているものである。そのため、余裕をもって充電を行うため、バッテリー容量を十分に使用することが難しい。その反面、バッテリー残量表示が最小になった場合にも、ある程度の使用は許容されるため、使用を継続してしまうこともあるが、この場合においては、客との対応中にバッテリー切れになることもあり、業務に支障をきたすおそれがある。
【０００６】
また、特許文献１においては、バッテリーの劣化というファクターを加味して残量表示を合理的に行っているものであるが、その残量表示も、実質的には、図２に示したものと同様であり、バッテリー残量が空になる直前まで使用することは難しいものである。
【課題を解決するための手段】
【０００７】
請求項１記載の発明は、無線送信機能を備えたレストラン等における携帯型無線通信端末において、内蔵するバッテリーの残量を無線送信可能な回数に置換して数字による表示で通知するようにしたレストラン等における携帯型無線通信端末のバッテリー残量表示方法である。
【０００８】
請求項２記載の発明は、請求項１記載のレストラン等における携帯型無線通信端末のバッテリー残量表示方法において、バッテリーの残量が数字に置換される基礎は、バッテリーの電圧であることを特徴とする。
【０００９】
請求項３記載の発明は、請求項１記載のレストラン等における携帯型無線通信端末のバッテリー残量表示方法において、フル充電の状態のバッテリーによる送信可能な無線送信回数から現時点の送信済みの回数を減算して将来の無線送信可能な回数を数字により表示するようにした。
【発明の効果】
【００１０】
本発明によれば、バッテリー残量の表示を無線送信可能な回数に置換して数字による表示としたので、バッテリーが空になる直前まで自信を持って使用することができ、これにより、バッテリーが保有する能力を十分に発揮させることができるものである。
【発明を実施するための最良の形態】
【００１１】
本発明の第一の実施の態様を図１、図３ないし図５に基づいて説明する。まず、ハンディターミナル１は、レストラン等に設置されている管理システムの一構成要素であり、客席において客からのオーダーを受け付け、受けたオーダーの内容を無線通信により管理センター及びその管理センターを経て厨房にも伝達するための端末機器である。このハンディターミナル１は、図３に示す構成よりなる。すなわち、本体ケース２内にはＣＰＵ７が設けられ、このＣＰＵ７には、動作プログラム等が記憶されているＲＯＭ８、各種のデータを記憶するＲＡＭ９、液晶によるディスプレイ１０により構成されている表示手段１１、操作キー４よりなる入力手段１２、図４に示した変換テーブル１３、管理センターとの間で無線通信可能な無線通信回路１４がそれぞれ接続されている。これらのＲＯＭ８、ＲＡＭ９、表示手段１１、入力手段１２、無線通信回路１４は、前記ＣＰＵ７を介在させてバッテリー１５により駆動電力を受けている。このバッテリー１５には、電圧検出回路１６が接続されており、常時、バッテリー１５の端子間電圧は検出されている。
【００１２】
つぎに、図４に示すものは、バッテリー１５のフル充電状態から空になった状態までの残りバッテリー容量（ｍＡｈ）、バッテリー電圧値（Ａ／Ｄ変換前）、バッテリー電圧値（Ａ／Ｄ変換後）、残り無線通信回数が１１段階に分割された状態の数値として予め設定されたものであり、経験則に基づいて定められているものである。例えば、バッテリー１５がフル充電状態であれば、残りバッテリー容量は２０００ｍＡｈ以上、バッテリー電圧値（Ａ／Ｄ変換前）は５．０Ｖ以上、バッテリー電圧値（Ａ／Ｄ変換後）は１００以上、残り無線通信回数は５００回であり、また、空の状態であれば、残りバッテリー容量は２００ｍＡｈ未満、バッテリー電圧値（Ａ／Ｄ変換前）は０．５Ｖ未満、バッテリー電圧値（Ａ／Ｄ変換後）は１０未満、残り無線通信回数は０というものである。
【００１３】
さらに、図５に示すものは、表示手段１１のディスプレイ１０であり、このディスプレイ１０には、残り無線送信回数を示す残り無線送信回数表示１７がバッテリー形状のマークとして表示されている。この残り無線送信回数表示１７の表示内容は、例えば、「あと約２００回」というものである。
【００１４】
このような構成において、レストラン等においては、ウェイターあるいはウェイトレスがハンディターミナル１を持ち、客席において客から注文を受ける。このときの注文内容は、入力手段１２により逐次入力されてＲＡＭ９に一次記憶され、一つのテーブルでの注文が終了すると図示しない締めキーが押される。この締めキーは送信キーをも兼ねており、ＲＡＭ９に集計された注文内容が無線通信回路１４を経て一括して管理センターに送信される。管理センターにおいては、厨房への注文指示や精算のために利用され、かつ、業務管理データとしての利用も図られる。
【００１５】
このようなハンディターミナル１の使用において、バッテリー１５の電力は逐次消費されている。特に、無線送信に要する電力は、待機時に較べると大きい。そして、バッテリー１５の端子間電圧は、電圧検出回路１６によりアナログデータとして常時検出されており、検出した電圧値はＡ／Ｄ変換されてデジタルデータとなり、図４に示す変換テーブル１３のバッテリー電圧値（Ａ／Ｄ変換後）と対比される。この対比の結果、デジタルデータに変換された電圧値とバッテリー電圧値（Ａ／Ｄ変換後）とが一致した状態における残り無線通信回数が求められる。すなわち、残り無線送信回数への変換がなされ、これが具体的な数値により表示手段１１のディスプレイ１０に残り無線送信回数表示１７として表示される。その表示は、具体的な数字であるため、「５０回」になるまではバッテリー１５が空になった状態ではなく、安心して使用することができる。すなわち、「５０回」の表示が出た状態において、あと５０回の無線送信が可能であるため、その数字の範囲内でバッテリー１５の充電作業を行えばよく、バッテリー切れの不安のない使用が可能になる。
【００１６】
つぎに、図７にハンディターミナル１の実際の消費電流値の例を示す。デバイス毎の消費電流の合計が、無線（送信時）＝２７０ｍＡ、無線（待受時）＝１５０ｍＡ、サスペンド時＝５ｍＡであったとする。さらに、それぞれの状態が占める割合が無線（送信時）＝５％、無線（待受時）＝１５％、サスペンド時＝８０％であったとすると、ハンディターミナル１の平均消費電流は４０ｍＡとなる。この数値を図４の容量を持つバッテリーに当てはめてみると、残り無線送信回数（残りユーザ登録回数）は、残りバッテリー容量をハンディターミナル１の平均消費電流で割った数値になるので（例えば、残りバッテリー容量が２０００／４０＝５０で、残り無線送信回数は５０回）、バッテリー電圧−残り無線送信回数（残りユーザ登録回数）変換テーブル１８は図８のようになる。
【００１７】
つぎに、本発明の第二の実施の態様を説明する。本実施の態様においては、フル充電されたバッテリー１５を用いて無線送信を行うことができる回数は、経験則に基づいて予め判定することができることを利用するものである。すなわち、バッテリー１５の消費電力は、無線送信を行うときには非常に大きいものであるが、待機状態においては、消費電力が非常に小さい。そのため、図４に示す例でも明らかなように、フル充電の状態で５００回の無線送信が可能である。そのため、フル充電されたバッテリー１５を備えたハンディターミナル１において、使用前には、５００回なる数値を記憶させておき、無線送信をする毎に初期の５００回の数値から送信回数を減算し、減算された残り数値を残り無線送信回数として残り無線送信回数表示１７に数値表示する。これにより、バッテリー１５の残量電力を直接的に測定するわけではないが、間接的に残り無線送信回数を知ることができ、バッテリー切れのおそれのない使用が可能になるものである。
【図面の簡単な説明】
【００１８】
【図１】ハンディターミナルを示す斜視図である。
【図２】従来のバッテリー残量表示の一例を示す正面図である。
【図３】本発明の実施の態様におけるハンディターミナルの構成を示すブロック図である。
【図４】ハンディターミナルが検出したバッテリー電圧値を残り無線送信回数（残りユーザ登録回数）へ変換するための変換テーブルである。
【図５】本発明のバッテリー残量表示の例を示す正面図である。
【図６】バッテリー電圧値から残り無線送信回数への変換を行う手順を示すフローチャートである。
【図７】本発明のハンディターミナルの消費電流値の例を表わす説明図である。
【図８】ハンディターミナルの消費電流が図７に示す場合におけるハンディターミナルが検出したバッテリー電圧値を残り無線送信回数（残りユーザ登録回数）へ変換するための変換テーブルである。
【符号の説明】
【００１９】
１    ハンディターミナル、１５    バッテリー
【図１】
2007147434.tif 000003
【図２】
2007147434.tif 000004
【図３】
2007147434.tif 000005
【図４】
2007147434.tif 000006
【図５】
2007147434.tif 000007
【図６】
2007147434.tif 000008
【図７】
2007147434.tif 000009
【図８】
2007147434.tif 000010